(57)【要約】【課題】利用者が不在の際に通信端末装置の着信があり、呼出音の鳴動が続く迷惑を避けるため、着信モードが自動的に設定される通信端末装置及び着信モード設定方法を提供する。【解決手段】通信端末装置は２種類の着信モードを持ち、利用者が応答できないことを検出すると、自動的に応答できない場合に適した着信モードを設定し、利用者が応答できることを検出すると、自動的に応答できる場合に適した着信モードを設定することが可能となる。【選択図】　図１
2004104550.tif 000002
【特許請求の範囲】
【請求項１】
着信時に聴覚によって通知する第１のモードと、自動応答する第２のモードと、前記第１のモード及び第２のモードを併せ持つ第３のモードのいずれかを設定可能な着信モード設定手段を有し、
前記第３のモードが設定されている時、利用者が応答不可能であることを検出すると前記第２のモードに自動設定される
ことを特徴とする通信端末装置。
【請求項２】
前記応答不可能の検出は、着信時に前記第１のモードを実行し、所定時間内に利用者の応答がないことによって行うことを特徴とする請求項１記載の通信端末装置。
【請求項３】
前記応答不可能の検出は、特定の相手方との近距離無線通信が不可能であることによって行うことを特徴とする請求項１記載の通信端末装置。
【請求項４】
着信時に聴覚によって通知する第１のモードと、自動応答する第２のモードと、前記第１のモード及び第２のモードを併せ持つ第３のモードのいずれかを設定可能な着信モード設定手段を有し、
前記第３のモードが設定されている時、利用者が応答可能であることを検出すると前記第１のモードに自動設定される
ことを特徴とする通信端末装置。
【請求項５】
入力手段を更に有し、
前記応答可能の検出は、前記入力手段から入力が行われたことによって行うことを特徴とする請求項４記載の通信端末装置。
【請求項６】
前記応答可能の検出は、特定の相手方との近距離無線通信が可能であることによって行うことを特徴とする請求項４記載の通信端末装置。
【請求項７】
着信時に聴覚によって通知する第１のモードと、自動応答する第２のモードと、前記第１のモード及び第２のモードを併せ持つ第３のモードのいずれかを設定可能な着信モード設定手段を有し、
前記第３のモードが設定されている場合の着信時に、前記第１のモードを所定時間実行し、次に前記第２のモードを実行する
ことを特徴とする通信端末装置。
【請求項８】
着信時に聴覚によって通知する第１のモードと、自動応答する第２のモードと、前記第１のモード及び第２のモードを併せ持つ第３のモードのいずれかを設定可能とし、
前記第３のモードが設定されている時、利用者が応答不可能であることを検出すると前記第２のモードに自動設定される
ことを特徴とする着信モード設定方法。
【請求項９】
着信時に聴覚によって通知する第１のモードと、自動応答する第２のモードと、前記第１のモード及び第２のモードを併せ持つ第３のモードのいずれかを設定可能とし、
前記第３のモードが設定されている時、利用者が応答可能であることを検出すると前記第１のモードに自動設定される
ことを特徴とする着信モード設定方法。
【発明の詳細な説明】
【０００１】
【発明の属する技術分野】
本発明は、着信を行う通信端末装置及び着信モード設定方法に係り、特に着信モードを自動的に設定する処理に関する。
【０００２】
【従来の技術】
携帯電話などの移動通信端末装置は小型、軽量であり、常にそれを携帯する利用者が多く、事務所においてもそれが用いられている。ところで、特に静かな事務所などにおいては、呼出音の長い鳴動が周囲の人に迷惑をかけることがある。
【０００３】
そこで、着信への応答が不可能である場合には、利用者は着信モードを変更して、周囲の人に迷惑をかけないようにしている。即ち、移動通信端末装置には着信時に行う動作の定義が複数あり、利用者がその中から着信モードを設定することができる。代表的な着信モードには、呼出音を鳴動させるものや、応答できない旨のメッセージを送出させるものなどがある。
【０００４】
しかし、例えば、着信モードとして呼出音を鳴動させるものが設定された移動通信端末装置を机上におき、利用者が席を外してしまった際に着信があると、呼出音の長い鳴動で周囲の人に迷惑をかけるのみならず、発信人には全く事情が分からず、繰り返し発信を行わざるを得なかった。その結果着信が続き、ますます周囲の人の迷惑になることもあった。
【０００５】
そこで、周囲の人に迷惑をかけないため、自動的に移動通信端末装置の着信モードの設定を行う方法が開示されている。
【０００６】
従来の方法は、例えば映画館などの、特に移動通信端末装置の使用を避けなければならない場所に無線送信装置を設置し、そこから移動通信端末装置の使用が制限されている旨の制御信号を送信し、その信号を受信した全ての移動通信端末装置は、発信者に着信側の移動通信端末装置の使用が制限されている旨のメッセージを送出する着信モードの設定を自動的に行っている。（例えば、特許文献１参照。）。
【０００７】
【特許文献１】
特開２００１−２５０６２号公報（第２頁、図１）
【０００８】
【発明が解決しようとする課題】
しかしながら、上述した方法では、上記無線送信装置が設置された場所で全ての移動通信端末装置の使用が制限されるので、事務所などで個々の移動通信端末装置ごとに最も適した着信モードの設定を行う必要がある場合には適さないという問題点があった。
【０００９】
本発明は、上記問題点を解決するためになされたもので、個々の通信端末装置ごとに最適な着信モードを設定する通信端末装置及び着信モード設定方法を提供することを目的とする。
【００１０】
【課題を解決するための手段】
上記目的を達成するために、本発明の通信端末装置は、着信時に聴覚によって通知する第１のモードと、自動応答する第２のモードと、前記第１のモード及び第２のモードを併せ持つ第３のモードのいずれかを設定可能な着信モード設定手段を有し、前記第３のモードが設定されている時、利用者が応答不可能であることを検出すると前記第２のモードに自動設定されることを特徴とする。
【００１１】
本発明によれば、通信端末装置は複数の着信モードを持ち、利用者が応答できないことを検出すると、自動的に応答できない場合に適した着信モードを設定することができる。
【００１２】
また、本発明の通信端末装置は、着信時に聴覚によって通知する第１のモードと、自動応答する第２のモードと、前記第１のモード及び第２のモードを併せ持つ第３のモードのいずれかを設定可能な着信モード設定手段を有し、前記第３のモードが設定されている時、利用者が応答可能であることを検出すると前記第１のモードに自動設定されることを特徴とする。
【００１３】
本発明によれば、通信端末装置は複数の着信モードを持ち、利用者が応答できることを検出すると、自動的に応答できる場合に適した着信モードを設定することができる。
【００１４】
【発明の実施の形態】
以下に、本発明による通信端末装置の実施の形態を、移動通信端末装置を例として、図面を参照して説明する。
【００１５】
図１は、本発明の実施形態に係る移動通信端末装置を示すブロック図である。この移動通信端末装置は、装置全体の制御を行う制御装置１と、アンテナ２ａと、通信装置２ｂと、送受信装置３と、スピーカ４ａと、マイク４ｂと、通話装置４ｃと、利用者からの操作指示を入力する入力装置５と、利用者へ情報の提示を行う出力装置６と、着信モードを定義する着信モード定義装置１１と、着信モード定義装置１１が定義した着信モードのデータが格納される着信モードデータベース１２と、着信時に着信モードデータベース１２に格納されたデータに従って着信処理を行う着信処理装置１３と、近距離間の無線通信を行う近距離無線送受信装置２１と、それが用いるアンテナ２１ａとからなる。
【００１６】
（第１の実施の形態）
上記のように構成された、本発明による移動通信端末装置の第１の実施の形態に係る動作を説明する。通信装置２ｂは、アンテナ２ａが受信した高周波信号を送受信装置３へ出力し、また、送受信装置３が出力する高周波信号をアンテナ２ａより送信する。
【００１７】
次に、送受信装置３の動作を説明する。送受信装置３は、通信装置２ｂからの高周波信号を増幅、周波数変換及び復調し、それによって得た音声信号を通話装置４ｃへ、また、制御信号を制御装置１へ送る。更には、通話装置４ｃが出力する音声信号及び制御装置１が出力する制御信号を変調、周波数変換及び増幅し、高周波信号を得てそれを通信装置２ｂへ送る。
【００１８】
次に、通話装置４ｃの動作を説明する。通話装置４ｃは、送受信装置３が出力するデジタル音声信号をアナログ音声信号に変換し、それを増幅してスピーカ４ａに送り、また、マイク４ｂが出力するアナログ音声信号を増幅し、それをデジタル音声信号に変換して送受信装置３に送る。更には、制御装置１の指示により、指定されたファイル（図示せず）に格納されたデジタル楽音信号をアナログ楽音信号に変換し、それを増幅してスピーカ４ａに送る。
【００１９】
次に、入力装置５の動作を説明する。入力装置５は、複数のキーからなり、制御装置１の起動により動作を開始し、利用者が操作したキーを識別するコードを制御装置１へ通知して動作を終了する。
【００２０】
次に、出力装置６の動作を説明する。出力装置６は、例えばＬＣＤの表示装置であり、制御装置１より起動されることにより、表示動作を開始する。入力装置５からの入力操作に応答して制御装置１より起動されるまで、同じ表示動作を続ける。
【００２１】
次に、着信モード定義装置１１の動作を説明する。図２は、着信モード定義装置１１の動作のフローチャートを示す。着信モード定義装置１１は、利用者が入力装置５のキー（図示せず）の操作によってその動作を要求し、それに従って制御装置１が起動して開始する（ステップ３１ａ）。続いて、着信モードの定義の入力を求めるプロンプト画面を出力装置６に表示し（ステップ３１ｂ）、それを用いて利用者が入力装置５から着信モードの定義を入力する（ステップ３１ｃ）。
【００２２】
この際、出力装置６には、例えば図３に示す着信モード定義画面が表示される。図３（ａ）は通常モード及び不在モードの定義画面を示す。ここで、通常モードとは、利用者が着信に応答可能である場合に適した着信モードである。不在モードとは、利用者が着信に応答不可能である場合に適した着信モードである。
【００２３】
図３（ａ）で、列４１ｃは、移動通信端末装置に用意されている着信に対応して動作が可能な処理要素の一覧である。
【００２４】
即ち、「呼出音鳴動」は、通話装置４ｃがスピーカ４ａを用いて呼出音を鳴動させる処理を、「バイブレータ」は振動子（図示せず）を振動させる処理を、「ランプ表示」は、着信通知用のランプ（図示せず）を点灯させる処理を意味している。
【００２５】
なお、移動通信端末装置を、スピーカ４ａに加えて着信用の第２のスピーカ（図示せず）を設けた構成とし、「呼出音鳴動」の際は、通話装置４ｃが着信用の第２のスピーカを用いて呼出音を鳴動させるようにしても良い。
【００２６】
これらの処理は利用者の応答が期待される場合の処理であり、通常モードは、これらから任意個が選ばれて定義される。これらの処理では、パラメータとして、列４１ｅに時間を入力する。入力された時間にわたって上記の処理が行われても利用者が応答しなかった場合には、利用者が応答できない状態と判断してよいことを表す。図３（ａ）では、列４１ａにチェックが入力されたことにより、通常モードの定義では「呼出音鳴動」が選ばれている。
【００２７】
続いて、「着信不可メッセージ送出」は、移動通信端末装置が着信に自動応答し、列４１ｄに格納されたメッセージ（音声データであるが、図３（ａ）では文字で表している）を送出する処理を、また、それは着信後、列４１ｅに設定された時間が経過してから行われることを意味している。音声データは移動通信端末装置が記憶している固定データでも、利用者がマイク４ｂ及び通話装置４ｃを用いて入力したデータでもよい。
【００２８】
続いて、「留守番電話」は、移動通信端末装置が着信に自動応答し、列４１ｄに格納されたメッセージ（音声データであるが、図３（ａ）では文字で表している）を送出した後、発信者の発声を録音する処理を、また、それは着信後、列４１ｅに設定された時間が経過してから行われることを意味している。音声データは移動通信端末装置が記憶している固定データでも、利用者がマイク４ｂ及び通話装置４ｃを用いて入力したデータでもよい。
【００２９】
不在モードの定義では、利用者の操作なしに移動通信端末装置が着信に自動応答するこれらの処理の中から選ばれる。更に、本発明では利用者の応答が期待される処理を複数選定することができる。例えば、図３（ａ）では、列４１ｂに入力されたチェックにより、不在モードの定義として「ランプ表示」と「着信不可メッセージ送出」が選ばれている。
【００３０】
図３（ｂ）はその他の定義画面を示す。列４２ａ、列４２ｂにいずれかにチェックを入力することにより、着信モードとして通常モードと不在モードのいずれを設定するかを定義する。また、本発明では列４３にチェックを入力することにより、不在モードが設定されていても、通常モードで定義された処理が一定時間実行されることを定義することができる。これは、利用者が移動通信端末装置の近くにいて、着信に応答可能でありながら不在モードが設定されている場合に、利用者に着信を知らせるための処理である。
【００３１】
続いて、着信モード定義装置１１は、上述のようにして定義された着信モードに関するデータを着信モードデータベース１２に格納して（ステップ３１ｄ）、終了する（ステップ３１ｅ）。
【００３２】
次に、着信処理装置１３の動作を説明する。図４は、着信処理装置１３の動作のフローチャートを示す。着信処理装置１３は、制御装置１がアンテナ２ａ、通信装置２ｂ及び送受信装置３を経由して着信があった旨の通知を受信した際に、制御装置１が起動して動作を開始する（ステップ５１ａ）。続いて、着信モードデータベース１２に格納されたデータ（図３の列４２ａ、４２ｂ参照）によって設定された着信モードを調べる（ステップ５１ｂ）。
【００３３】
設定された着信モードが「不在モード」であれば、着信モードデータベース１２に格納されたデータ（図３の列４１ｂ参照）に従って定義された処理を起動する（ステップ５１ｃ）。これらの処理のうちの１つは着信に対する応答を含むので、動作は応答処理に移り、着信処理装置１３の動作は終了する。なお、不在モードが設定されている場合に、通常モードの処理をも短時間行う設定（図３の列４３参照）になっていれば、通常モードの定義に従った処理（図３の列４１ａ参照）をも起動する。
【００３４】
設定された着信モードが「通常モード」であれば、着信モードデータベース１２に格納されたデータ（図３の列４１ａ参照）に従って定義された処理を起動する（ステップ５１ｄ）。そして、利用者が応答すれば（ステップ５１ｅ）、通話の処理が起動され（ステップ５１ｆ）、着信処理装置１３の動作は終了する。
【００３５】
一方、利用者が応答しない場合には、着信モードデータベース１２に格納された時間（図３の列４１ｅ参照）だけ処理を続ける（ステップ５１ｇ）。しかし、一定時間経過しても利用者が応答しない場合には、着信モードとして不在モードを設定し、それを着信モードデータベース１２に格納（図３の列４２ａ、４２ｂ参照）して（ステップ５１ｈ）、終了する（ステップ５１ｉ）。
【００３６】
以上の処理により、通常モードが設定された移動通信端末装置を机上においたまま利用者が席を外した場合でも、初回の着信においては呼出音の鳴動があるものの、２回目以降の着信においては不在モードが設定されており、着信ができない旨のメッセージが発信者に送出される。その結果、周囲の人へも発信者へもかける迷惑を最小限に止めることができる。
【００３７】
次に、制御装置１が入力装置５に対して行われた利用者のキー操作を入力する処理の動作を説明する。図５は、その動作のフローチャートを示す。制御装置１は、この処理を開始して（ステップ６１ａ）、直ちに入力装置５を起動する（ステップ６１ｂ）。入力があるまでそれを続ける（ステップ６１ｃ）。
【００３８】
入力が得られたなら、着信モードデータベース１２に格納されたデータ（図３の列４２ａ、４２ｂ参照）によって設定された着信モードを調べる（ステップ６１ｄ）。それが不在モードであれば、それに替えて通常モードを設定して、それを着信モードデータベース１２に格納（図３の列４２ａ、４２ｂ参照）した上で（ステップ６１ｅ）、入力されたデータをバッファ（図示せず）に格納して（ステップ６１ｆ）、ステップ６１ｂへ戻って次の入力処理を行う。
【００３９】
以上の処理により、不在モードが設定された移動通信端末装置であっても、利用者からキー操作が行われることにより、移動通信端末装置を操作できる状態であると認識し、そのキー操作の目的が発信操作であるか、着信操作であるか、また、電話番号表の操作などの通信と直接には関係しない操作であるかを問わず、通常モードが設定されるので、利用者が着信に気づかない恐れがなくなる。
【００４０】
本実施形態に係る移動通信端末装置に用意されている着信に対応して動作が可能な処理として、上記の他に、着信を楽音の発音で通知する着メロと呼ばれる処理や、着信を他の通信端末装置へ転送する処理などがあってもよい。
【００４１】
（第２の実施の形態）
以下に、本発明による移動通信端末装置の第２の実施の形態に係る動作を、第１の実施の形態に係る動作との差を中心に、図面を参照して説明する。第２の実施形態においては、着信モードの設定を近距離無線送受信装置２１が行う。
【００４２】
図６は、近距離無線送受信装置２１のフローチャートを示す。近距離無線送受信装置２１は短距離の無線送受信を行う装置である。短距離の無線送受信の方式は、例えばブルートゥース（登録商標）方式を用いても良いし、無線ＬＡＮ方式を用いてもよい。近距離無線送受信装置２１は、制御装置１が一定時間間隔で起動することにより、動作を開始する（ステップ７１ａ）。
【００４３】
続けて、近距離無線送受信装置２１は、あらかじめ定められた通信相手との通信を試みる（ステップ７１ｂ）。ここで、この通信相手は、移動通信端末装置の利用者が常に携帯する、例えば名刺ケースなどに保持されたカード形式の通信端末装置である。
【００４４】
そして、通信が可能であったかを調べ（ステップ７１ｃ）、可能であれば、利用者が移動通信端末装置の近くにいると判断して、着信モードに通常モードを設定し、それを着信モードデータベース１２に格納（図３の列４２ａ、４２ｂ参照）して（ステップ７１ｄ）、終了する（ステップ７１ｆ）。
【００４５】
一方、不可能であれば、利用者が移動通信端末装置の近くにいないと判断して、着信モードに不在モードを設定し、それを着信モードデータベース１２に格納（図３の列４２ａ、４２ｂ参照）して（ステップ７１ｅ）、終了する（ステップ７１ｆ）。
【００４６】
第２の実施形態においては、あらかじめ定められた通信端末装置が移動通信端末装置の近くに存在するか、しないかのみの判断によって着信モードの設定が行われるので、利用者が、例えばカード形式の通信端末装置を常に保持することにより、移動通信端末装置への着信の有無、利用者のキー操作の有無に拘らず、常に適切な着信モードの設定が可能となる。
【００４７】
また、第２の実施形態においては、着信処理装置１３が行う着信モードに不在モードを設定する処理（図４のステップ５１ｈ）、及び制御装置１が行う着信モードに通常モードを設定する処理（図５のステップ６１ｅ）は除いてもよい。本発明は以上の構成に限定されるものではなく、種々の変形が可能である。
【００４８】
【発明の効果】
以上述べたように、本発明によれば、通信端末装置は複数の着信モードを持ち、利用者が応答できないことを検出すると、自動的に応答できない場合に適した着信モードを、また、利用者が応答できることを検出すると、自動的に応答できる場合に適した着信モードを設定することができる。
【図面の簡単な説明】
【図１】本発明の実施形態に係る移動通信端末装置を示すブロック図。
【図２】本発明の実施形態に係る着信モード定義装置のフローチャート。
【図３】出力装置に表示される着信モード定義画面。
【図４】本発明の実施形態に係る着信処理装置のフローチャート。
【図５】本発明の実施形態に係る制御装置の入力装置からの入力処理のフローチャート。
【図６】本発明の第２の実施形態に係る近距離無線送受信装置のフローチャート。
【符号の説明】
１　制御装置
５　入力装置
６　出力装置
１１　着信モード定義装置
１２　着信モードデータベース
１３　着信処理装置
２１　近距離無線送受信装置
【図１】
2004104550.tif 000003
【図２】
2004104550.tif 000004
【図３】
2004104550.tif 000005
【図４】
2004104550.tif 000006
【図５】
2004104550.tif 000007
【図６】
2004104550.tif 000008